(57)【特許請求の範囲】
【請求項１】
能力の高い圧縮機、四方弁、室外熱交換器を備えた第二の室外ユニットと、能力の低い圧縮機、四方弁、室外熱交換器を備えた第一の室外ユニットと、これらの室外ユニットに１つの冷媒系統により接続された室内ユニットと、を備えた空気調和装置において、
暖房運転から除霜運転に切り替えるときに、前記第一の室外ユニットの能力の低い圧縮機を停止し、この第一の室外ユニットの四方弁を冷房位置に切り替え、この能力の低い圧縮機を運転することで、第一の室外ユニットの冷房運転を行なって、第一の室外ユニットの室外熱交換器を除霜する除霜制御部を備え、
前記第一の室外ユニットの室外熱交換器を除霜するとき、前記第二の室外ユニットの高圧の吐出冷媒が、四方弁を経て、前記第一の室外ユニットの圧縮機に吸込まれ、再圧縮されて、前記第一の室外ユニットの室外熱交換器に流入する、
ことを特徴とする空気調和装置。
【請求項２】
前記第二の室外ユニットはガスエンジンの冷却水回路を備え、この冷却水回路はラジエータを備え、このラジエータを前記第二の室外ユニットの室外熱交換器に近接配置させた、
ことを特徴とする請求項１に記載の空気調和装置。
【請求項３】
前記除霜制御部は、前記第一の室外ユニットの室外熱交換器の入口、出口の温度差に基づいて、前記除霜運転を開始する、
ことを特徴とする請求項１又は２のいずれか一項に記載の空気調和装置。
【請求項４】
能力の高い圧縮機、四方弁、室外熱交換器を備えた第二の室外ユニットと、能力の低い圧縮機、四方弁、室外熱交換器を備えた第一の室外ユニットと、これらの室外ユニットに１つの冷媒系統により接続された室内ユニットと、を備えた空気調和装置の制御方法において、
暖房運転から除霜運転に切り替えるときに、前記第一の室外ユニットの能力の低い圧縮機を停止し、この第一の室外ユニットの四方弁を冷房位置に切り替え、この能力の低い圧縮機を運転することで、第一の室外ユニットの冷房運転を行なって、第一の室外ユニットの室外熱交換器を除霜し、
前記第一の室外ユニットの室外熱交換器を除霜するときには、前記第二の室外ユニットの高圧の吐出冷媒が、四方弁を経て、前記第一の室外ユニットの圧縮機に吸込まれ、再圧縮されて、前記第一の室外ユニットの室外熱交換器に流入させる、
ことを特徴とする空気調和装置の制御方法。
【発明の詳細な説明】
【技術分野】
【０００１】
本発明は、空気調和装置に係り、特に、ＧＨＰ室外ユニットとＥＨＰ室外ユニットとを併用する空気調和装置および空気調和装置の制御方法に関する。
【背景技術】
【０００２】
一般に、能力の高い圧縮機を備えた室外ユニットと、能力の低い圧縮機を備えた室外ユニットとを用いて、室内ユニットによる空調を行う空気調和装置が知られている。
このような空気調和装置として、従来、例えば、室外ユニットのうちの一方の室外ユニットに商用電源からの電力で駆動される圧縮機を内蔵するとともに、他方の室外ユニットにエンジンで駆動される圧縮機を内蔵し、いずれの室外ユニットを中心に運転させるかを選択し、選択された室外ユニットを中心に運転させるようにした技術が開示されている（例えば、特許文献１参照）。
【先行技術文献】
【特許文献】
【０００３】
【特許文献１】特許第３０１１５４３号公報
【発明の概要】
【発明が解決しようとする課題】
【０００４】
この種の従来の空気調和装置では、暖房運転時に、室外ユニットの除霜運転が定期的に必要となる。冬季などの暖房運転期間においては、除霜運転をする場合、冷房運転に一時的に切り替えて、圧縮機の吐出冷媒の熱により室外熱交換器の除霜を行なうのが一般的である。冷房運転に切り替えて除霜運転するとなると、その間は室内を暖房できなくなるため、除霜時間を短くすることが望まれている。
本発明は、前記した点に鑑みてなされたものであり、除霜時間を短くできる空気調和装置および空気調和装置の制御方法を提供することを目的とする。
【課題を解決するための手段】
【０００５】
前記目的を達成するため、本発明の空気調和装置は、能力の高い圧縮機、四方弁、室外熱交換器を備えた第二の室外ユニットと、能力の低い圧縮機、四方弁、室外熱交換器を備えた第一の室外ユニットと、これらの室外ユニットに１つの冷媒系統により接続された室内ユニットと、を備えた空気調和装置において、暖房運転から除霜運転に切り替えるときに、前記第一の室外ユニットの能力の低い圧縮機を停止し、この第一の室外ユニットの四方弁を冷房位置に切り替え、この能力の低い圧縮機を運転することで、第一の室外ユニットの冷房運転を行なって、第一の室外ユニットの室外熱交換器を除霜する除霜制御部を備え、前記第一の室外ユニットの室外熱交換器を除霜するとき、前記第二の室外ユニットの高圧の吐出冷媒が、四方弁を経て、前記第一の室外ユニットの圧縮機に吸込まれ、再圧縮されて、前記第一の室外ユニットの室外熱交換器に流入する、ことを特徴とする。
【０００６】
また、本発明の空気調和装置は、前記第二の室外ユニットはガスエンジンの冷却水回路を備え、この冷却水回路はラジエータを備え、このラジエータを前記第二の室外ユニットの室外熱交換器に近接配置させた、ことを特徴とする。
【０００８】
また、本発明の空気調和装置は、前記除霜制御部は、前記第一の室外ユニットの室外熱交換器の入口、出口の温度差に基づいて、前記除霜運転を開始する、ことを特徴とする。
【０００９】
また、本発明の空気調和装置の制御方法は、能力の高い圧縮機、四方弁、室外熱交換器を備えた第二の室外ユニットと、能力の低い圧縮機、四方弁、室外熱交換器を備えた第一の室外ユニットと、これらの室外ユニットに１つの冷媒系統により接続された室内ユニットと、を備えた空気調和装置の制御方法において、暖房運転から除霜運転に切り替えるときに、前記第一の室外ユニットの能力の低い圧縮機を停止し、この第一の室外ユニットの四方弁を冷房位置に切り替え、この能力の低い圧縮機を運転することで、第一の室外ユニットの冷房運転を行なって、第一の室外ユニットの室外熱交換器を除霜し、前記第一の室外ユニットの室外熱交換器を除霜するときには、前記第二の室外ユニットの高圧の吐出冷媒が、四方弁を経て、前記第一の室外ユニットの圧縮機に吸込まれ、再圧縮されて、前記第一の室外ユニットの室外熱交換器に流入させる、ことを特徴とする。
【発明の効果】
【００１０】
本発明の空気調和装置および空気調和装置の制御方法によれば、ＧＨＰ室外ユニットは暖房運転させた状態で、ＥＨＰ室外ユニットの冷房運転を行なって、ＥＨＰ室外ユニットの室外熱交換器を除霜するため、短時間で除霜運転ができる。
【図面の簡単な説明】
【００１１】
【図１】本発明の実施の形態に係る空気調和装置の構成図である。
【図２】空気調和装置の機能的構成を示すブロック図である。
【図３】本発明の実施の形態に係る空気調和装置の構成図である。
【図４】本発明の実施の形態に係る空気調和装置の構成図である。
【発明を実施するための形態】
【００１２】
以下、図面を参照して本発明の一実施形態について説明する。
図１は、本発明の実施の形態に係る空気調和装置１の構成図である。
空気調和装置１は、ガスエンジン１２で駆動される能力の高い圧縮機としてのＧＨＰ圧縮機１３を備えた第二の室外ユニットとしてのＧＨＰ室外ユニット２と、商用電源で駆動される能力の低い圧縮機としてのＥＨＰ圧縮機６２を備えた第一の室外ユニットとしてのＥＨＰ室外ユニット３と、複数の室内ユニット４とを備えている。ＧＨＰ室外ユニット２、ＥＨＰ室外ユニット３および各室内ユニット４とは、ユニット間配管５およびオイルバランス管６を介して接続され、これにより、空調運転を行うための冷凍サイクル回路が構成されている。
【００１３】
ＧＨＰ室外ユニット２は、外部のユニット間配管５と接続するための２つの外部接続バルブ１０ａ，１０ｂおよびオイルバランス管６を接続するためのオイル接続バルブ１１を備えている。
ＧＨＰ室外ユニット２には、ガスエンジン１２と、ガスエンジン１２の駆動力により冷媒を圧縮するＧＨＰ圧縮機１３とが設けられている。ＧＨＰ圧縮機１３は、並列に設けられる第１のＧＨＰ圧縮機１３ａおよび第２のＧＨＰ圧縮機１３ｂから構成されている。
ガスエンジン１２は、燃料調整弁（図示せず）を経て供給されるガスなどの燃料と、スロットル弁（図示せず）を経て供給される空気との混合気を燃焼させて駆動力を発生するようになっている。
ガスエンジン１２の出力軸と、ＧＨＰ圧縮機１３の従動軸との間には、駆動ベルト１４が掛け渡されており、ガスエンジン１２の駆動力を駆動ベルト１４を介して伝達することで、ＧＨＰ圧縮機１３を駆動するように構成されている。
【００１４】
ＧＨＰ圧縮機１３の吐出側には、オイルセパレータ１５、四方弁１６および２つの室外熱交換器１７，１７が順に接続され、各室外熱交換器１７は、冷媒配管２０を介して一方の外部接続バルブ１０ａに接続されている。室外熱交換器１７の近傍には、室外熱交換器１７と外気との熱交換を行うための室外送風機１８が設けられている。
また、他方の外部接続バルブ１０ｂには、冷媒配管２０が接続されており、この冷媒配管２０は、途中四方弁１６およびアキュムレータ１９を介してＧＨＰ圧縮機１３の吸込側に接続されている。
【００１５】
冷媒配管２０の中途部には、電動弁２４と逆止弁２５とが並列に接続されており、冷媒配管２０には、アキュムレータ１９の流入側に接続されるリキッド管２２が接続されている。室外熱交換器１７と外部接続バルブ１０ａとの間には、ドライコア３９が設けられている。
また、ＧＨＰ圧縮機１３の吸込側と冷媒配管２０との間には、ＧＨＰ圧縮機１３の吸込側と冷媒配管２０とを接続する熱交換冷媒配管２３が接続されており、この熱交換冷媒配管２３には、電動弁２６が設けられている。熱交換冷媒配管２３の電動弁２６とＧＨＰ圧縮機１３の吸込側との間には、プレート型熱交換器２７が設けられている。
【００１６】
ＧＨＰ室外ユニット２は、ＧＨＰ圧縮機１３の吐出側と吸込側とを接続するバイパス管２８を備えている。バイパス管２８の一端は、オイルセパレータ１５と四方弁１６との間に接続され、バイパス管２８の他端は、アキュムレータ１９と四方弁１６との間に接続される。ＧＨＰ圧縮機１３の吐出側の冷媒の一部は、圧力差により、バイパス管２８を通ってＧＨＰ圧縮機１３の吸込側に流れる。
バイパス管２８には、バイパス管２８の流量を調整するバイパス弁２９が設けられている。バイパス弁２９は、段階的に開閉可能な電動弁である。
【００１７】
ＧＨＰ室外ユニット２は、オイルセパレータ１５とＧＨＰ圧縮機１３の吸込側とを接続するオイル戻し管３０を備えている。オイルセパレータ１５の内部に貯留される潤滑用のオイルは、ＧＨＰ圧縮機１３の吐出側と吸込側との圧力差により、オイル戻し管３０を通って吸込側に流される。
【００１８】
オイル戻し管３０は、オイルセパレータ１５のオイル流出口とＧＨＰ圧縮機１３の吸込側とを接続する第１の戻し管３１と、第１の戻し管３１に対して並列に設けられる第２の戻し管３６とを備えている。
第１の戻し管３１は、キャピラリチューブ３２を備えている。
第２の戻し管３６は、キャピラリチューブ３２をバイパスするように第１の戻し管３１に接続されており、第２の戻し管３６の一端は、第１の戻し管３１におけるキャピラリチューブ３２の上流側に接続され、第２の戻し管３６の他端は、第１の戻し管３１におけるキャピラリチューブ３２の下流側に接続される。
第２の戻し管３６は、キャピラリチューブ３３と、キャピラリチューブ３３の下流に設けられるオイル戻し弁３４とを備えている。
【００１９】
オイル接続バルブ１１には、オイル管３５が接続されている。オイル管３５は、途中で分岐し、その一方は、冷媒配管２０のオイルセパレータ１５より下流側に接続されるとともに、他方は、第２の戻し管３６のキャピラリチューブ３３とオイル戻し弁３４との間に接続されている。
【００２０】
冷媒配管２０に接続される外部接続バルブ１０ａには、ユニット間配管５を介して各室内ユニット４の室内熱交換器４０の一端が接続されている。ユニット間配管５の中途部には、膨張弁４１が設けられている。
各室内ユニット４の内部には、室内熱交換器４０と室内空気との熱交換を行うための室内送風機４２が設けられている。
また、各室内熱交換器４０の他端には、ユニット間配管５を介して冷媒配管２０に接続される外部接続バルブ１０ｂが接続されている。
【００２１】
また、ＧＨＰ室外ユニット２は、ガスエンジン１２の冷却水回路５０を備えている。
冷却水回路５０は、ガスエンジン１２から冷却水配管５１を介して順に接続される冷却水三方弁５２と、プレート型熱交換器２７と、一方の室外熱交換器１７に近接配置されたラジエータ５３と、冷却水ポンプ５４と、ガスエンジン１２の排気ガス熱交換器５５とを備え、冷却水ポンプ５４を駆動することにより、この回路内に冷却水を循環させるように構成されている。
冷却水回路５０の冷却水配管５１は、図１に二重線で示されるとともに、冷却水の流れは、実線の矢印で示される。
ラジエータ５３では、外気と冷却水との熱交換が行われる。
また、プレート型熱交換器２７では、電動弁２６の動作で、ＧＨＰ圧縮機１３に戻る冷媒が冷却水配管５１内を流れる冷却水によって加熱される。これにより、冷媒の低圧圧力が上昇し、暖房効率が向上する。
【００２２】
冷却水回路５０は、ガスエンジン１２、冷却水三方弁５２、ラジエータ５３、冷却水ポンプ５４、排気ガス熱交換器５５およびガスエンジン１２の順に冷却水が流れる第１経路を形成可能である。
また、冷却水回路５０は、冷却水を、ガスエンジン１２、冷却水三方弁５２、プレート型熱交換器２７、冷却水ポンプ５４、排気ガス熱交換器５５およびガスエンジン１２の順に冷却水が流れる第２経路を形成可能である。
【００２３】
次に、ＥＨＰ室外ユニット３について説明する。
ＥＨＰ室外ユニット３は、外部のユニット間配管５と接続するための２つの外部接続バルブ６０およびオイルバランス管６を接続するためのオイル接続バルブ６１を備えている。
ＥＨＰ室外ユニット３は、商用電源で駆動されるＥＨＰ圧縮機６２を備えている。このＥＨＰ圧縮機６２は、例えば、出力を可変することのできるインバータ式の圧縮機とされている。
【００２４】
ＥＨＰ圧縮機６２の吐出側には、オイルセパレータ６３、四方弁６４および２つの室外熱交換器６５，６５が順に接続され、室外熱交換器６５は、冷媒配管２１を介して一方の外部接続バルブ６０ａに接続されている。室外熱交換器６５の近傍には、室外熱交換器６５と外気との熱交換を行うための室外送風機６６（図２を参照）が設けられている。
室外熱交換器６５と外部接続バルブ６０ａとの間には、レシーバタンク６７が設けられている。
室外熱交換器６５には、２系統の管路が形成されており、四方弁６４側の冷媒配管２１およびレシーバタンク６７側の冷媒配管２１は、それぞれ分岐して室外熱交換器６５に接続されるように構成されている。また、室外熱交換器６５のレシーバタンク６７側の冷媒配管２１には、それぞれ室外用電子制御弁６８，６８が設けられている。
【００２５】
他方の外部接続バルブ６０には、冷媒配管２１を介して、ＥＨＰ圧縮機６２の吸込側に接続されており、冷媒配管の中途部には、四方弁６４およびアキュムレータ６９が設けられている。
【００２６】
また、ＥＨＰ圧縮機６２とオイルセパレータ６３との間の冷媒配管２１の中途部には、分岐してＥＨＰ圧縮機６２とアキュムレータ６９との間の冷媒配管２１に接続される冷媒戻し配管７０が設けられている。冷媒戻し配管７０の中途部には、冷媒戻し用電磁弁７１が設けられている。そして、冷媒戻し用電磁弁７１を開くと、冷媒の一部は、冷凍サイクルを循環せずにＥＨＰ圧縮機６２の吸込側に導かれる。
【００２７】
また、オイルセパレータ６３の下部には、オイル管７２が接続されており、オイル管７２の中途部には、ＥＨＰ圧縮機６２の吸込側に接続されるオイル戻し配管７３が接続されている。オイル戻し配管７３は、オイル管７２から分岐する２つの分岐管７４，７５を備えており、一方の分岐管７４には、オイル戻し用電磁弁７６３１が設けられるとともに、他方の分岐管７５には、キャピラリチューブ７８が設けられている。また、オイル管７２の各分岐管７４，７５の接続部分の間には、キャピラリチューブ７９が設けられている。
【００２８】
オイルセパレータ６３と四方弁６４との間の冷媒配管２１の中途部には、途中分岐してオイル管７２の中途部に接続される高圧冷媒配管８０が接続されている。高圧冷媒配管８０の中途部には、高圧冷媒用電磁弁８１が設けられている。
【００２９】
また、アキュムレータ６９は、冷媒配管２１の冷媒が流入される流入管８２と、アキュムレータ６９の内部のガス冷媒をＥＨＰ圧縮機６２に送る流出管８３とを備えている。流出管８３は、アキュムレータ６９の内部上方に開口するように構成されており、アキュムレータ６９の内部上方に溜まったガス冷媒をＥＨＰ圧縮機６２に送るように構成されている。
また、ＥＨＰ圧縮機６２には、ＥＨＰ圧縮機６２の吸込側に接続されるオーバーフロー管８４が接続されている。このオーバーフロー管８４には、ストレーナ８５と、油を減圧するための絞り８６が組み込まれている。
さらに、ＥＨＰ室外ユニット３には、外部温度を検出するための外気温センサ９０が設けられている。
【００３０】
ＥＨＰ室外ユニット３の外部接続バルブ６０ａには、ユニット間配管５の一端が接続され、このユニット間配管５の他端は、ＧＨＰ室外ユニット２の外部接続バルブ１０ａと室内ユニット４とを接続するユニット間配管５の中途部に接続されている。ＥＨＰ室外ユニット３の冷媒配管に接続される外部接続バルブ６０ｂには、ユニット間配管５の一端が接続され、このユニット間配管５の他端は、ＧＨＰ室外ユニット２の外部接続バルブ１０ｂと室内ユニット４とを接続するユニット間配管５の中途部に接続されている。
【００３１】
また、ＥＨＰ室外ユニット３のオイル接続バルブ６１と、ＧＨＰ室外ユニット２のオイル接続バルブ１１とは、オイルバランス配管を介して接続されている。これにより、オイルバランス配管を介して、ＧＨＰ室外ユニット２のＥＨＰ圧縮機６２と、ＥＨＰ室外ユニット３のＥＨＰ圧縮機６２との間で、オイルを互いに供給することでき、ＧＨＰ室外ユニット２のＥＨＰ圧縮機６２と、ＥＨＰ室外ユニット３のＥＨＰ圧縮機６２とのオイル量のバランスを保持することができる。
そして、冷房運転を行う場合には、図１中実線矢印で示すように、冷媒が流れ、暖房運転を行う場合は、図１中破線で示すように、冷媒が流れる。
【００３２】
次に、本実施形態の空気調和装置１の制御構成について説明する。図２は本実施形態における制御構成を示すブロック図である。
図２に示すように、本実施形態においては、ＧＨＰ室外ユニット２は、ＧＨＰ制御部１００を備えており、ＥＨＰ室外ユニット３は、ＥＨＰ制御部１０１を備えている。また、室内ユニット４は、それぞれ室内制御部１０２を備えている。空気調和装置１は、ＧＨＰ制御部１００、ＥＨＰ制御部１０１および室内制御部１０２を統括して制御するシステム制御部１０３を備えている。
これらＧＨＰ制御部１００、ＥＨＰ制御部１０１、室内制御部１０２およびシステム制御部１０３は、例えば、ＣＰＵなどの演算処理回路、ＲＯＭ、ＲＡＭなどを備え、所定のプログラムを実行することにより、所定の制御を行うものである。
【００３３】
図２に示すように、ＧＨＰ制御部１００は、ガスエンジン１２および室外送風機１８を駆動制御するように構成されている。
ＥＨＰ制御部１０１は、外気温センサ９０による検出値に基づいて、ＥＨＰ圧縮機６２および室外送風機６６を駆動制御するように構成されている。
なお、本実施形態においては、ＥＨＰ室外ユニット３のみに外気温センサ９０を設けるようにしているが、ＧＨＰ室外ユニット２にも外気温センサ９０を設けるようにしてもよい。
室内制御部１０２は、室温センサによる検出値に基づいて、室内送風機４２および弁動作を駆動制御するように構成されている。
システム制御部１０３は、設定室温に基づいて、ＧＨＰ室外ユニット２、ＥＨＰ室外ユニット３および室内ユニット４を制御することで、ＧＨＰ室外ユニット２による運転と、ＥＨＰ室外ユニット３による運転とが、最も省エネルギになるように、ＧＨＰ制御部１００、ＥＨＰ制御部１０１および室内制御部１０２に制御信号を出力する。これにより、ＧＨＰ制御部１００によりＧＨＰ室外ユニット２の運転制御、ＥＨＰ制御部１０１によりＥＨＰ室外ユニット３の運転制御、室内制御部１０２により室内ユニット４の運転制御をそれぞれ効率よく行うように構成されている。
【００３４】
次に、除霜運転について説明する。
本実施形態では、システム制御部１０３が、除霜制御部２０３（図２参照）を備えている。この除霜制御部２０３は、ＥＨＰ室外ユニット３の室外熱交換器６５の除霜制御を司っている。
本実施形態では、ＧＨＰ室外ユニット２の室外熱交換器１７は、除霜する必要がほとんどない。即ち、図１に示すように、ＧＨＰ室外ユニット２は、ガスエンジン１２の冷却水回路５０を備え、冷却水回路５０はプレート型熱交換器２７において、冷却水と冷媒の熱交換を行なうことにより、室外熱交換器１７に着霜していても継続して暖房運転が行なえるからである。
【００３５】
ＥＨＰ室外ユニット３の室外熱交換器６５の入口および出口には、温度センサＴ１、Ｔ２が取り付けられ、温度センサＴ１、Ｔ２の検出温度の温度勾配（温度差）に基づいて、室外熱交換器６５の着霜が検出される。
除霜制御部２０３は、ＧＨＰ室外ユニット２およびＥＨＰ室外ユニット３が暖房運転を行なっているとき、上述したように、温度センサＴ１、Ｔ２の検出温度の温度勾配に基づいて、室外熱交換器６５の着霜を検出すると、ＥＨＰ室外ユニット３の室外熱交換器６５の除霜運転を開始する。
除霜制御部２０３は、暖房運転から除霜運転に切り替えるときに、図３に示すように、ＥＨＰ室外ユニット３のＥＨＰ圧縮機６２の運転を停止する。
このとき、ＥＨＰ圧縮機６２の運転を停止したことで、冷媒は、図３に太線で示すように流れ、ＥＨＰ室外ユニット３には流れない。ＥＨＰ室外ユニット３に冷媒を流さない状態にしておいて、四方弁６４を冷房位置に切り替える。
【００３６】
次いで、ＥＨＰ室外ユニット３のＥＨＰ圧縮機６２を運転する。ＥＨＰ圧縮機６２を運転することで、冷媒は、図４に太線で示すように流れる。
ＧＨＰ室外ユニット２の四方弁１６を経た高温高圧の冷媒は、ガス管の分岐点Ａから分岐し、ＥＨＰ室外ユニット３に流れ、四方弁６４、アキュムレータ６９を経て、ＥＨＰ圧縮機６２に吸い込まれる。ＥＨＰ圧縮機６２から吐出された冷媒は、四方弁６４を経て、室外熱交換器６５に流入し、室外熱交換器６５が除霜される。室外熱交換器６５を流れた冷媒は、液管の分岐点Ｂに向かい、ＧＨＰ室外ユニット２に戻される。
本実施形態では、ＥＨＰ室外ユニット３の室外熱交換器６５を除霜するとき、ＧＨＰ室外ユニット２の高圧の吐出冷媒が、四方弁１６を経て、ＥＨＰ室外ユニット３のＥＨＰ圧縮機６２に吸込まれ、再圧縮されるため、二段圧縮状態となり、冷媒圧力、冷媒温度が上昇して、室外熱交換器６５に流入するため、除霜時間が短縮される。
【００３７】
この実施形態では、除霜運転時には、室内ユニット４の室内送風機４２の運転を停止した状態で除霜運転が行われる。したがって、除霜運転時には、室内ユニット４から室内に向けて風が吹き出されることはない。
従来の冷房運転に切り替えての除霜運転では、室内ユニット４の室内熱交換器４０に冷たい冷媒が流れるため、除霜から暖房に再度切り替えるときに、室内熱交換器４０が一時的に冷えた状態で暖房が行われるため、室内ユニット４から冷風感の感じられることがある。本実施形態では、除霜運転時には、室内ユニット４の室内熱交換器４０に暖かい冷媒が流れている。したがって、除霜から暖房に再度切り替えるときに、室内ユニット４からいきなり温風が吹き出され、所謂冷風感は解消される。
【００３８】
別の実施形態では、除霜運転時に、室内ユニット４の室内送風機４２を運転させた状態で除霜運転が行われてもよい。
この実施形態では、除霜運転時には、室内ユニット４の室内熱交換器４０に暖かい冷媒が流れているため、室内送風機４２の送風により室内の暖房が行われる。したがって、ユーザから見た状態で、暖房の継続が担保される。
【００３９】
なお、前記実施の形態は本発明を適用した一態様を示すものであって、本発明は前記実施形態に限定されるものではない。
本実施形態においては、システム制御部１０３により、ＧＨＰ制御部１００、ＥＨＰ制御部１０１および室内制御部１０２を統括して制御するようにしたが、本発明はこれに限定されない。例えば、空気調和装置１のシステムを管理する管理会社が、サーバなどを経由して、システム制御部１０３などを直接制御するようにしてもよい。
【符号の説明】
【００４０】
１  空気調和装置
２  ＧＨＰ室外ユニット（第二の室外ユニット）
３  ＥＨＰ室外ユニット（第一の室外ユニット）
４  室内ユニット
１２  ガスエンジン
１３  ＧＨＰ圧縮機（能力の高い圧縮機）
１５  オイルセパレータ
１７、６５  室外熱交換器
４０  室内熱交換器
６２  ＥＨＰ圧縮機（能力の低い圧縮機）
１００  ＧＨＰ制御部
１０１  ＥＨＰ制御部
１０２  室内制御部
１０３  システム制御部
２０３  除霜制御部
【図１】
0006650618.tif 000002
【図２】
0006650618.tif 000003
【図３】
0006650618.tif 000004
【図４】
0006650618.tif 000005